(57)【要約】      （修正有）【課題】通過使用型の便器を提供する。【解決手段】１は、基部で、横断面楕円形の陶器製筒状部で、この基部上方に連続して湾曲部２が一体に形成される。３は湾曲部上縁に一体形成される着座部分としての鍔部、４は基部下端に位置する平板状の脚部で、その適所に取付け孔（図示略）が形成される。以上の構成から基部内面は、貫通して排出部５となる。本例では、便器の上部寸法は長さ５０ｃｍ、巾２０ｃｍとしたが、この巾は１５ｃｍ〜２５ｃｍの範囲が適当である。【選択図】図１
0003120013.tif 000002
【実用新案登録請求の範囲】
【請求項１】
その上縁に着座部分としての鍔部を有する上下開放の便器において、その横幅を１５ｃｍ〜２５ｃｍの範囲にて設定したことを特徴とする通過使用型便器。
【請求項２】
横幅と縦長さとの比を１：５〜１：７の範囲にて設定してなる請求項１記載の通過使用型便器。
【請求項３】
便器上部の一部に突出部を設けてなる請求項１または２記載の通過使用型便器。
【考案の詳細な説明】
【技術分野】
【０００１】  この考案は、使用者が体向変更することなく用いることのできる通過使用型の便器に関する。
【背景技術】
【０００２】  従来より、便器は必須設備の一つとして多用されてきており、近年では和式より洋式のものが多いが、使用時においては入室時と反対側に向き直って着座して用を足すものしかなく、本案にて示すように、入室時と同じ向きにて使用し、使用後もその向きのまま退室が可能な便器は現在のところ見当たらない。
【考案の開示】
【考案が解決しようとする課題】
【０００３】  従来の便器使用は、ドアを開けて入室し、体の向きをほぼ１８０度変えて便器に腰掛けて用を足し、ドアから出る一連の作業を必要とする。身障者や高齢者などの体の不自由なものにとってはこの体向変更が煩わしく、とりわけ介護の必要なものにとっては難儀なものであった。本案は以上のような従来からの便器使用に関わる課題を解決するために考案されたもので、二つのドアを有する室内に装備することにより、体向変更することなく便利に使用できる通過使用型の便器を提供することを目的としたものである。
【課題を解決するための手段】
【０００４】  課題を解決する手段として本案は、便器巾寸法を所定範囲内に設定してその主要部を構成した。すなわち、その上縁に着座部分としての鍔部を有する上下開放の便器において、その横幅を１５ｃｍ〜２５ｃｍの範囲にて設定する。
本発明は以上の構成よりなる通過使用型便器である。
【考案の効果】
【０００５】  本発明によれば、便器をまたいだ格好にて用を足し、用足し後は立ち上がってから別ドアより退室することができ、従来のような体向変更を必要とせず、使用者と介護者の双方にとってその労力を緩和することのできる有用なる便器を提供することができる。
【考案を実施するための最良の形態】
【０００６】  以下、本案の実施形態について説明する。
図において、１は基部で、横断面楕円形の陶器製筒状部で、この基部上方に連続して湾曲部２が一体に形成される。３は湾曲部上縁に一体形成される着座部分としての鍔部、４は基部下端に位置する平板状の脚部で、その適所に取り付け孔（図示略）が形成される。
以上の構成から基部内面は貫通して排出部５となる。本例では、便器の上部寸法は長さ５０ｃｍ、巾２０ｃｍとしたが、この巾は１５ｃｍ〜２５ｃｍの範囲が適当である。
本発明は図９のようにトイレルームのほぼ中央に設置され、室内適所に水タンク１０が設置されるとともに本案便器の後方上部と水タンクは配管され、この配管途中にポンプ１１が接続される。また、室内適所にスイッチ１２および１３が設けられ、これらスイッチと上記ポンプは電源接続される。また、必要に応じて手すり１４が室内壁面適所に取り付けられる。なお、水タンクは一般使用されているものと同様のものであり、配水管（図示略）が接続され、便器下方は排出物を移送するための汚物排出管が接続される。また、ポンプと配水管の一部は床面下方に設置される。【０００７】  本発明の使用に際しては、まずドアを開けて室内に入り、準備をした後に便器をまたぐように着座して用を足す。用足し後はそのまま立ち上がって服装を直して手洗いを行い、反対側のドアを開けて退室する。以上のように、従来の便器使用のような体向変更が不要であり、体の不自由な人、介護が必要な人にとってより低労力での使用が可能である。
トイレ使用時は図１１に示すように便器をまたぐように着座するが、本案便器は従来品に比べてその巾を狭くしており、また便器上部には鍔部を有し、便器蓋を設けていないので、このような使用が可能なのであり、入室時の体向のまま退室することが可能である。
本案では床下方に配管およびポンプを設けている。これは使用後の水洗をスムースに行うためのものである。一般の便器では、便器後方のやや上部に配管接続され、この配管接続位置より上方に水タンクが位置し、レバー操作にてタンク内の水が便器内に放出されて排出物を流す仕組みとなっており、この配管部分は床面よりやや上方に位置している。
しかし、このスタイルではこの配管が邪魔となって使用者の通過に支障をきたすことになる。これを防ぐために、床下方にポンプと配管の主要部を位置させ、壁面に設けたスイッチ操作にてポンプを作動させて水洗する仕組みとしたものである。【０００８】  つまり、本案便器後面上部に放水用の配管が接続され、この配管は床下に入って再び床から上がって水タンクに接続されている。しかしこのままでは床下方の配管内を通過した水を便器上部位置まで押し上げて放水しなければならないが、このままでは位置エネルギーが不足する。このためにポンプによる強制放水としたものである。
なお、壁面のスイッチは対向する壁面に各々設けられるが、例えばタイマーその他を組み込んで片方のスイッチは大用、他方のスイッチは小用として使い分けることも可能である。
図６〜図８は本案の他例を示すもので、便器全長をやや長くするとともに、鍔部を一部に設け、鍔部のない部分の一部を上方に突出させた形状としたもので、男性の小用時の尿の便器外への飛散を防止するものであり、その他の効果は前例と同様である。なお、本例の便器寸法は縦７０ｃｍ横２０ｃｍである。
図１２〜図１５は、本案の付属品としての着座板である。使用者によっては本案のような便座蓋のない便器の使用時に臀部への押圧による不快感を感ずることも想定され、これを緩和するためにこの着座板を発案したものである。
この着座板は、図のように平面視略四角形の板体の中央に孔を設け、孔下部の外周に沿って下方に突き出す段部を設け、上面には中央に向かって下降する傾斜面を形成したものである。この段部巾寸法は便器の対向する鍔部間距離よりわずかに小さく、従って図１５に示すように便器上部にはめ込み、ここに着座して用を足すことができる。ゆえに便器に対する着座板の位置決めが容易となり、また上面には傾斜面を有するので着座しやすいものとなる。本品は以上のように、必要に応じて用いる付属品である。
以上説明したように、本案では入室時のままの体向にて用足し後の退室が可能であり、とりわけ要介護の人にとって使用しやすく、介護者の労力を緩和することのできる有用なる便器を得ることができる。なお、必要に応じて壁面に手すりを設けることで体の上下移動が容易とすることができる。
【図面の簡単な説明】
【０００９】
【図１】  本考案の平面図
【図２】  本考案の正面図
【図３】  Ａ−Ａ断面図
【図４】  本考案の右側面図
【図５】  Ｂ−Ｂ断面図
【図６】  本考案の他例の平面図
【図７】  本考案の他例の正面図
【図８】  本考案の他例の右側面図
【図９】  本考案の設置説明図（平面視）
【図１０】  本考案の設置説明図（正面視）
【図１１】  本考案の使用説明図
【図１２】  本考案の付加物品である着座板の平面図
【図１３】  本考案の付加物品である着座板の正面図
【図１４】  Ｃ−Ｃ断面図
【図１５】  本考案の付加物品である着座板の使用説明図（平面視）
【符号の説明】
【００１０】１    基部
２    湾曲部
３    鍔部
４    脚部
５    排出部
１０  水タンク
１１  ポンプ
１２  スイッチ
１３  スイッチ
１４  手すり
１５  ドア
２０  基部
２１  湾曲部
２２  鍔部
２３  突出部
２４  脚部
２５  排出部
３０  座板
３１  孔
３２  段部
【図１】
0003120013.tif 000003
【図２】
0003120013.tif 000004
【図３】
0003120013.tif 000005
【図４】
0003120013.tif 000006
【図５】
0003120013.tif 000007
【図６】
0003120013.tif 000008
【図７】
0003120013.tif 000009
【図８】
0003120013.tif 000010
【図９】
0003120013.tif 000011
【図１０】
0003120013.tif 000012
【図１１】
0003120013.tif 000013
【図１２】
0003120013.tif 000014
【図１３】
0003120013.tif 000015
【図１４】
0003120013.tif 000016
【図１５】
0003120013.tif 000017